(57)【要約】  【課題】  ネットワーク端末についての登録処理を行う場合における管理者の管理負担の軽減に寄与することのできる技術を提供する。  【解決手段】  テンプレートを用いて管理対象であるネットワーク端末についての登録処理を行うネットワーク端末管理装置であって、管理対象である複数のネットワーク端末の内の少なくとも１つを選択する端末選択部１０１と、テンプレートにネットワーク端末について反映させる登録内容を設定する登録内容設定部１０２と、登録内容設定部１０２にてテンプレートに設定された登録内容を、端末選択部１０１にて選択されたネットワーク端末について反映させる登録内容反映部１０３とを有する。  【選択図】  図２
2006293687.tif 000002
【特許請求の範囲】
【請求項１】
テンプレートを用いて管理対象であるネットワーク端末についての登録処理を行うネットワーク端末管理装置であって、
管理対象である複数のネットワーク端末の内の少なくとも１つを選択する端末選択部と、
テンプレートに前記ネットワーク端末について反映させる登録内容を設定する登録内容設定部と、
前記登録内容設定部にてテンプレートに設定された登録内容を、前記端末選択部にて選択されたネットワーク端末について反映させる登録内容反映部と
を有するネットワーク端末管理装置。
【請求項２】
請求項１に記載のネットワーク端末管理装置において、
前記ネットワーク端末について反映された登録内容に関する情報を取得する登録情報取得部を有し、
前記登録内容設定部は、前記登録情報取得部にて取得された情報を登録内容としてテンプレートに設定するネットワーク端末管理装置。
【請求項３】
請求項１に記載のネットワーク端末管理装置において、
前記テンプレートに設定されている複数の登録項目のうち少なくとも１つを選択する項目選択部を有し、
前記登録内容反映部は、前記項目選択部にて選択された登録項目の登録内容を、前記端末選択部にて選択されたネットワーク端末に対して反映させるネットワーク端末管理装置。
【請求項４】
テンプレートを用いた管理対象であるネットワーク端末についての登録処理をコンピュータに実行させるネットワーク端末管理プログラムであって、
管理対象である複数のネットワーク端末の内の少なくとも１つを選択する端末選択ステップと、
テンプレートに前記ネットワーク端末について反映させる登録内容を設定する登録内容設定ステップと、
前記登録内容設定ステップにてテンプレートに設定された登録内容を、前記端末選択ステップにて選択されたネットワーク端末について反映させる登録内容反映ステップと
をコンピュータに実行させるネットワーク端末管理プログラム。
【請求項５】
請求項４に記載のネットワーク端末管理プログラムにおいて、
前記ネットワーク端末について反映された登録内容に関する情報を取得する登録情報取得ステップを有し、
前記登録内容設定ステップは、前記登録情報取得ステップにて取得された情報を登録内容としてテンプレートに設定するネットワーク端末管理プログラム。
【請求項６】
請求項４に記載のネットワーク端末管理プログラムにおいて、
前記テンプレートに設定されている複数の登録項目のうち少なくとも１つを選択する項目選択ステップを有し、
前記登録内容反映ステップは、前記項目選択ステップにて選択された登録項目の登録内容を、前記端末選択ステップにて選択されたネットワーク端末に対して反映させるネットワーク端末管理プログラム。
【発明の詳細な説明】
【技術分野】
【０００１】
本発明は、ネットワーク端末管理装置およびネットワーク端末管理プログラムに関するものである。
【背景技術】
【０００２】
従来、画像処理装置等のネットワーク端末の状態をネットワーク経由で管理する技術が知られる（例えば、特許文献１参照。）。このネットワーク端末についての登録処理（新規登録や更新登録など）を行う場合、当該ネットワーク端末の管理者は、登録処理を行いたいネットワーク端末について個別に上記登録処理を行っていた。
【特許文献１】特開平１１−３５３１４５号公報
【発明の開示】
【発明が解決しようとする課題】
【０００３】
しかし、上記従来技術では、複数台のネットワーク端末が管理対象となる場合、上記登録処理をネットワーク端末の台数分だけ行わなければならず、管理者にとって負担となっていた。
【０００４】
本発明は上述した問題点を解決するためになされたものであり、ネットワーク端末についての登録処理を行う場合における管理者の管理負担の軽減に寄与することのできる技術を提供することを目的とする。
【課題を解決するための手段】
【０００５】
上述した課題を解決するため、本発明に係るネットワーク端末管理装置は、テンプレートを用いて管理対象であるネットワーク端末についての登録処理を行うネットワーク端末管理装置であって、管理対象である複数のネットワーク端末の内の少なくとも１つを選択する端末選択部と、テンプレートに前記ネットワーク端末について反映させる登録内容を設定する登録内容設定部と、前記登録内容設定部にてテンプレートに設定された登録内容を、前記端末選択部にて選択されたネットワーク端末について反映させる登録内容反映部とを有することを特徴とするものである。
【０００６】
また、本発明に係るネットワーク端末管理プログラムは、テンプレートを用いた管理対象であるネットワーク端末についての登録処理をコンピュータに実行させるネットワーク端末管理プログラムであって、管理対象である複数のネットワーク端末の内の少なくとも１つを選択する端末選択ステップと、テンプレートに前記ネットワーク端末について反映させる登録内容を設定する登録内容設定ステップと、前記登録内容設定ステップにてテンプレートに設定された登録内容を、前記端末選択ステップにて選択されたネットワーク端末について反映させる登録内容反映ステップとをコンピュータに実行させることを特徴とするものである。
【発明の効果】
【０００７】
以上に詳述したように本発明によれば、ネットワーク端末についての登録処理を行う場合における管理者の管理負担の軽減に寄与することのできる技術を提供することができる。
【発明を実施するための最良の形態】
【０００８】
以下、本発明の実施の形態について図面を参照しつつ説明する。
【０００９】
図１は、本実施の形態によるネットワーク端末管理装置について説明するためのシステム構成図である。同図に示すように、本実施の形態によるネットワーク端末管理装置１は、ＬＡＮ等の電気通信回線を介して、複数のネットワーク端末（例えば、ＭＦＰ（Multi Function Peripheral）２０１、ＰＣ２０２およびプリンタ２０３等）と通信可能に接続されている。ここで、ネットワーク端末管理装置１は当該ネットワークにおけるサーバとしての役割を有している。
【００１０】
図２は、本実施の形態によるネットワーク端末管理装置について説明するための機能ブロック図である。
【００１１】
本実施の形態によるネットワーク端末管理装置１は、テンプレートを用いて管理対象であるネットワーク端末についての登録処理を行うものであり、端末選択部１０１、登録内容設定部１０２、登録内容反映部１０３、登録情報取得部１０４、項目選択部１０５、ＣＰＵ１０６およびメモリ１０７を備えてなる構成となっている。また、ネットワーク端末管理装置１は、不図示の操作入力部（キーボード、マウスおよびタッチパネルディスプレイ等）へのユーザの操作入力を受け付けるとともに、同装置における処理結果を不図示の表示部にて画面表示させることができる構成となっている。なお、当該操作入力は必ずしもネットワーク端末管理装置１における不図示の操作入力部への操作入力でなくともよく、同装置と通信可能に接続された外部機器からの命令であってもよい。また、当該画面表示も同様に、必ずしもネットワーク端末管理装置１における不図示の表示部における画面表示でなくともよく、同装置と通信可能に接続された外部機器において表示される構成であってもよい。
【００１２】
端末選択部１０１は、ユーザの操作入力に基づいて、管理対象である複数のネットワーク端末の内の少なくとも１つを選択する役割を有している。ここでのネットワーク端末の選択方法としては、例えば図４（詳細は後述）に示すように、ネットワーク端末管理装置１における不図示の表示部に表示されたネットワーク端末を示すアイコンをマウスやカーソルによって選択する方法や、ＩＰアドレスや機種名を入力することによって選択する方法などが挙げられるが、結果として所望のネットワーク端末を特定して選択することができればよい。
【００１３】
登録内容設定部１０２は、テンプレート（図４参照）にネットワーク端末について反映させる登録内容を設定する役割を有している。
【００１４】
登録内容反映部１０３は、登録内容設定部１０２にてテンプレートに設定された登録内容を、端末選択部１０１にて選択されたネットワーク端末について反映させる役割を有している。
【００１５】
登録情報取得部１０４は、ネットワーク端末について反映された登録内容に関する情報を取得する役割を有している。登録内容設定部１０２は、登録情報取得部１０４にて取得された情報を登録内容としてテンプレートに設定することができるようになっている。
【００１６】
項目選択部１０５は、テンプレートに設定されている複数の登録項目のうち少なくとも１つを選択する役割を有している。登録内容反映部１０３は、項目選択部１０５にて選択された登録項目の登録内容を、端末選択部１０１にて選択されたネットワーク端末に対して反映させることができるようになっている。
【００１７】
ＣＰＵ１０６は、ネットワーク端末管理装置における各種処理を行う役割を有しており、またメモリ１０７に格納されているプログラムを実行することにより種々の機能を実現する役割も有している。メモリ１０７は、例えばＲＯＭやＲＡＭ等から構成されており、ネットワーク端末管理装置において利用される種々の情報やプログラムを格納する役割を有している。また、本実施の形態では、管理対象であるネットワーク端末についての登録内容に関する情報、テンプレートの設定内容等は、メモリ１０７に格納されている。
【００１８】
図３は、本実施の形態によるネットワーク端末管理装置における処理の流れについて説明するためのフローチャートである。
【００１９】
まず、ネットワーク端末管理装置における不図示の表示部に管理対象であるネットワーク端末全てを画面表示させる（Ｓ２０１）。
【００２０】
画面表示されているネットワーク端末のうちの少なくとも１つについての登録処理（登録情報の更新、変更等）を行う場合（Ｓ２０２，Ｙｅｓ）、当該登録処理に使用するテンプレートの指定を行う（Ｓ２０３）。このとき、すでに複数のテンプレートが用意されている場合には、これら複数のテンプレートの内のいずれか１つを選択する。
【００２１】
続いて、登録内容設定部１０２は、ユーザの操作入力に基づいて、指定したテンプレートへの新たな登録内容の設定（テンプレートの新規作成）、指定したテンプレートに設定されている登録内容の修正や更新等を行う（登録内容設定ステップ）（Ｓ２０４）。
【００２２】
なお、本実施の形態におけるテンプレートには、図４に示すように、複数の登録項目（「テンプレート設定」、「デバイス設定」、「パスワード設定」、「カウンタ収集設定」、「デバイス通信リトライ設定」など）が設けられており、これらの登録項目の左側に設けられているチェックボックスをチェックすることによって登録項目の選択を行うようになっている。項目選択部１０５はユーザの操作入力に基づいて、これら複数の登録項目のうち少なくとも１つを選択することができ（項目選択ステップ）、図４ではこれらの登録項目全てが選択されている例を示している。
【００２３】
次に、ユーザの操作入力に基づいて、端末選択部１０１は上述のように画面表示されたネットワーク端末の中から登録処理の対象としたいネットワーク端末を少なくとも１つ選択する（端末選択ステップ）（Ｓ２０５）。
【００２４】
ネットワーク端末の選択が完了すると（Ｓ２０６，Ｙｅｓ）、  登録内容反映部１０３は、項目選択ステップにて選択された登録項目の登録内容を、端末選択ステップにて選択されたネットワーク端末に対して反映させ（登録内容反映ステップ）（Ｓ２０７）、登録処理が完了する（Ｓ２０８）。
【００２５】
一方、画面表示されているネットワーク端末のうちの少なくとも１つについての登録処理（登録情報の更新、変更等）を行わない場合（Ｓ２０２，Ｎｏ）、上述のステップ（Ｓ２０１）にて画面表示された管理対象であるネットワーク端末のうち、任意のネットワーク端末を端末選択部１０１にて選択する（Ｓ２０９）。
【００２６】
続いて、当該選択されたネットワーク端末についての登録情報の新規登録、修正、更新を行う（Ｓ２１０）。
【００２７】
登録情報取得部１０４は、この選択されたネットワーク端末について反映されている登録内容に関する情報を取得する（登録情報取得ステップ）。登録内容設定部１０２は、登録情報取得ステップにて取得された情報を登録内容としてテンプレートに設定する（登録内容設定ステップ）（Ｓ２１１，Ｙｅｓ）。このように、登録内容反映部１０３は、登録内容設定ステップ（Ｓ２０４、Ｓ２１１等）にてテンプレートに設定された登録内容を、端末選択ステップにて選択されたネットワーク端末について反映させる（登録内容反映ステップ）。
【００２８】
上述のようにして登録情報取得ステップにて取得された情報を登録内容として有するテンプレートを新規作成する場合、当該テンプレートの名称を入力し（Ｓ２１２）、登録内容としてテンプレートに設定された内容および名称をテンプレートについて登録する（Ｓ２１３）。
【００２９】
上述したネットワーク端末管理装置での処理における各ステップ（Ｓ２０１〜Ｓ２１３）は、メモリ１０７に格納されたネットワーク端末管理プログラムをＣＰＵ１０６に実行させることにより実現されるものである。
【００３０】
なお、本実施の形態では、管理対象であるネットワーク端末についての登録内容に関する情報、テンプレートの設定内容等が、メモリ１０７に格納されている構成としているが、これに限られるものではなく、例えば、ネットワーク端末管理装置１と通信可能に接続されているデータベース等に格納されている構成とすることもできる。
【００３１】
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００３２】
以上、本実施の形態によれば、複数台のネットワーク端末についての登録処理を行う場合であっても、所望の登録内容が設定されたテンプレートを用いて、任意のネットワーク端末についての一括登録を行うことが可能となり、ネットワーク端末についての登録処理を行う場合における管理者の管理負担の軽減に寄与することができる。
【００３３】
本発明を特定の態様により詳細に説明したが、本発明の精神および範囲を逸脱しないかぎり、様々な変更および改質がなされ得ることは、当業者には自明であろう。
【図面の簡単な説明】
【００３４】
【図１】本発明の実施の形態によるネットワーク端末管理装置について説明するためのシステム構成図である。
【図２】本実施の形態によるネットワーク端末管理装置について説明するための機能ブロック図である。
【図３】本実施の形態によるネットワーク端末管理装置における処理の流れについて説明するためのフローチャートである。
【図４】本実施の形態において用いられるテンプレートの一例を示す図である。
【符号の説明】
【００３５】
１  ネットワーク端末管理装置、１０１  端末選択部、１０２  登録内容設定部、１０３  登録内容反映部、１０４  登録情報取得部、１０５  項目選択部、１０６  ＣＰＵ、１０７  メモリ。
【図１】
2006293687.tif 000003
【図２】
2006293687.tif 000004
【図３】
2006293687.tif 000005
【図４】
2006293687.tif 000006